(57)【要約】【課題】本発明は目地部が広くなったり、狭くなるような揺れ動きを前後方向にスライド移動して、隙間が生じることなく目地部を覆うことができるとともに、一方の床躯体が回動方向に揺れ動いても、その揺れ動きを吸収することができる床用目地装置を得るにある。【解決手段】目地部が広くなったり、狭くなるような揺れ動きを前後方向にスライド移動して、隙間が生じることなく目地部を覆うことができるとともに、一方の床躯体が回動方向に揺れ動いても、その揺れ動きを吸収することができるように床用目地装置を構成している。【選択図】　図１
2004027767.tif 000002
【特許請求の範囲】
【請求項１】
目地部側の一方の床躯体の上面に、該目地部のほぼ３倍以上の幅寸法の幅に形成された目地部に開口する凹部と、この凹部の目地部側の部位に固定された、前記目地部の幅寸法のほぼ１．５倍以上の幅寸法のスライドプレ−トと、このスライドプレ−ト上を先端部がスライド移動可能に他方の目地部側の床躯体に所定間隔離間されて取付けられた他方の一対の面台と、前記凹部のスライドプレ−トが取付けられていない部位に、前記他方の一対の面台と対応するように取付けられた一方の一対の面台と、この一方の一対の面台間のほぼ中央部の床躯体に一端部が枢支され、他端部が前記他方の一対の面台間のほぼ中央部の床躯体に枢支された、中央部に常時中央部に位置する中央枢支ピンを備える中央維持片が設けられた中央維持機構と、前記一方の面台上をスライド移動可能に後端部が前記他方の床躯体に前後方向にスライド移動可能に取付けられた先端部が傾斜面に形成された一方のスライド支持フレ−ムと、前記他方の面台上をスライド移動可能に後端部が前記一方の床躯体の凹部形成端部に前後方向にスライド移動可能に取付けられた先端部が前記一方のスライド支持フレ−ムの先端部との間にほぼ平行な遊び空間を有する傾斜面に形成された他方のスライド支持フレ−ムと、前記中央維持機構の中央維持片の中央枢支ピンの上部に取付けられたピニオン、このピニオンと目地部が狭くなると噛み合うように前記一方のスライド支持フレ−ムと前記他方のスライド支持フレ−ムに固定された一対のラックとからなる近接時の移動機構と、前記ピニオンの上部に位置するように前記中央枢支ピンに取付けられた支持台、この支持台の上部に中央部に隙間を介して回転可能に取付けられた一対のロ−ラ−、目地部が広くなると前記一対のロ−ラ−と当接するように前記一方のスライド支持フレ−ムと他方のスライド支持フレ−ムに取付けられた一対の留金とからなる離間時の移動機構と、前記一方のスライド支持フレームの上部を覆う一方の目地プレートと、前記他方のスライド支持フレームの上部を覆う他方の目地プレートと、この他方の目地プレート、前記一方の目地プレートのいずれか一方の先端部に設けられた他方の目地プレートと所定量スライド可能に重なり合うカバープレートとからなることを特徴とする床用目地装置。
【請求項２】
目地部側の一方の床躯体の上面に、該目地部のほぼ３倍以上の幅寸法の幅に形成された目地部に開口する凹部と、この凹部上を先端部がスライド移動可能に他方の目地部側の床躯体に所定間隔離間されて取付けられた他方の一対の面台と、前記凹部の反目地部側部位に前記他方の一対の面台と対応するように取付けられた一方の一対の面台と、この一方の一対の面台間のほぼ中央部の床躯体に一端部が枢支され、他端部が前記他方の一対の面台間のほぼ中央部の床躯体に枢支された、中央部に常時中央部に位置する中央枢支ピンを備える中央維持片が設けられた中央維持機構と、前記一方の面台上をスライド移動可能に後端部が前記他方の床躯体に前後方向にスライド移動可能に取付けられた先端部が傾斜面に形成された一方のスライド支持フレ−ムと、前記他方の面台上をスライド移動可能に後端部が前記一方の床躯体の凹部形成端部に前後方向にスライド移動可能に取付けられた先端部が前記一方のスライド支持フレ−ムの先端部との間にほぼ平行な遊び空間を有する傾斜面に形成された他方のスライド支持フレ−ムと、前記中央維持機構の中央維持片の中央枢支ピンの上部に取付けられたピニオン、このピニオンと目地部が狭くなると噛み合うように前記一方のスライド支持フレ−ムと前記他方のスライド支持フレ−ムに固定された一対のラックとからなる近接時の移動機構と、前記ピニオンの上部に位置するように前記中央枢支ピンに取付けられた支持台、この支持台の上部に中央部に隙間を介して回転可能に取付けられた一対のロ−ラ−、目地部が広くなると前記一対のロ−ラ−と当接するように前記一方のスライド支持フレ−ムと他方のスライド支持フレ−ムに取付けられた一対の留金とからなる離間時の移動機構と、前記一方のスライド支持フレームの上部を覆う一方の目地プレートと、前記他方のスライド支持フレームの上部を覆う他方の目地プレートと、この他方の目地プレート、前記一方の目地プレートのいずれか一方の先端部に設けられた他方の目地プレートと所定量スライド可能に重なり合うカバープレートとからなることを特徴とする床用目地装置。
【発明の詳細な説明】
【０００１】
【発明の属する技術分野】
本発明は免震ビルと外周部のよう壁等の間の目地部を覆う床用目地装置に関する。
【０００２】
【従来の技術】
従来、この種の床用目地装置として、前後方向にスライド移動する先端部が傾斜面に形成された一対の目地プレートを用いるものが提案されている。
【０００３】
【発明が解決しようとする課題】
従来の前後方向にスライド移動する先端部が傾斜面に形成された一対の目地プレートを用いる床用目地装置は、異なる前後左右方向に平行に移動する地震等による揺れ動きを吸収することができるが、免震ビル等の建物側が回動するような揺れ動きが生じた場合には、その揺れ動きを吸収できず、損傷するという欠点があった。
【０００４】
本発明は以上のような従来の欠点に鑑み、目地部が広くなったり、狭くなるような揺れ動きを前後方向にスライド移動して、隙間が生じることなく目地部を覆うことができるとともに、一方の床躯体が回動方向に揺れ動いても、その揺れ動きを吸収することができる床用目地装置を提供することを目的としている。
【０００５】
本発明の前記ならびにそのほかの目的と新規な特徴は次の説明を添付図面と照らし合わせて読むと、より完全に明かになるであろう。
ただし、図面はもっぱら解説のためのものであって、本発明の技術的範囲を限定するものではない。
【０００６】
【課題を解決するための手段】
上記目的を達成するために、本発明は目地部側の一方の床躯体の上面に、該目地部のほぼ３倍以上の幅寸法の幅に形成された目地部に開口する凹部と、この凹部の目地部側の部位に固定された、前記目地部の幅寸法のほぼ１．５倍以上の幅寸法のスライドプレ−トと、このスライドプレ−ト上を先端部がスライド移動可能に他方の目地部側の床躯体に所定間隔離間されて取付けられた他方の一対の面台と、前記凹部のスライドプレ−トが取付けられていない部位に、前記他方の一対の面台と対応するように取付けられた一方の一対の面台と、この一方の一対の面台間のほぼ中央部の床躯体に一端部が枢支され、他端部が前記他方の一対の面台間のほぼ中央部の床躯体に枢支された、中央部に常時中央部に位置する中央枢支ピンを備える中央維持片が設けられた中央維持機構と、前記一方の面台上をスライド移動可能に後端部が前記他方の床躯体に前後方向にスライド移動可能に取付けられた先端部が傾斜面に形成された一方のスライド支持フレ−ムと、前記他方の面台上をスライド移動可能に後端部が前記一方の床躯体の凹部形成端部に前後方向にスライド移動可能に取付けられた先端部が前記一方のスライド支持フレ−ムの先端部との間にほぼ平行な遊び空間を有する傾斜面に形成された他方のスライド支持フレ−ムと、前記中央維持機構の中央維持片の中央枢支ピンの上部に取付けられたピニオン、このピニオンと目地部が狭くなると噛み合うように前記一方のスライド支持フレ−ムと前記他方のスライド支持フレ−ムに固定された一対のラックとからなる近接時の移動機構と、前記ピニオンの上部に位置するように前記中央枢支ピンに取付けられた支持台、この支持台の上部に中央部に隙間を介して回転可能に取付けられた一対のロ−ラ−、目地部が広くなると前記一対のロ−ラ−と当接するように前記一方のスライド支持フレ−ムと他方のスライド支持フレ−ムに取付けられた一対の留金とからなる離間時の移動機構と、前記一方のスライド支持フレームの上部を覆う一方の目地プレートと、前記他方のスライド支持フレームの上部を覆う他方の目地プレートと、この他方の目地プレート、前記一方の目地プレートのいずれか一方の先端部に設けられた他方の目地プレートと所定量スライド可能に重なり合うカバープレートとで床用目地装置を構成している。
【０００７】
【発明の実施の形態】
以下、図面に示す実施の形態により、本発明を詳細に説明する。
【０００８】
図１ないし図１９に示す本発明の第１の実施の形態において、１は免震ビル等の建物２の床躯体３と目地部４を介して設置されたよう壁等の床躯体５との間の目地部４を覆う本発明の床用目地装置で、この床用目地装置１は前記よう壁等の他方の床躯体５の上面に前記目地部４のほぼ３倍以上の幅寸法の幅に形成された目地部に開口する凹部６と、この凹部６の目地部側の部位に複数本の皿ビス７等によって固定された、前記目地部の幅寸法のほぼ１．５倍以上の幅寸法のステンレス、ステンレス合金等の金属材製のスライドプレート８と、このスライドプレート８上を先端部がスライド移動可能に前記建物２の目地部側の一方の床躯体３に所定間隔離間されて取付けられたアルミ合金、ステンレス合金等の金属材製の一方の一対の面台９、９と、前記凹部６のスライドプレート８が設けられていない部位に、前記一方の一対の面台９、９と対応するように複数個の皿ビス７等によって固定的に取付けられたアルミ合金、ステンレス合金等の金属材製の他方の一対の面台１０、１０と、この他方の一対の面台１０、１０間のほぼ中央部の床躯体５に一端部が枢支ピン１１で枢支され、他端部が前記一方の一対の面台９、９間のほぼ中央部の床躯体３に枢支ピン１２で枢支された中央部に常時中央部に位置する中央枢支ピン１３を備える中央維持片１４が設けられた中央維持機構１５と、前記一方の面台９、９上をスライド移動可能に後端部が前記一方の床躯体３に前後方向にスライド移動可能に取付け金具１６を介して取付けられた先端部が傾斜面１７に形成された一方のスライド支持フレーム１８と、前記他方の面台１０、１０上をスライド移動可能に後端部が前記他方の床躯体５の凹部６形成端部に前後方向にスライド移動可能に取付け金具１６を介して取付けられた先端部が前記一方のスライド支持フレーム１８の先端部との間にほぼ平行な遊び空間１９を有する傾斜面２０に形成された他方のスライド支持フレーム２１と、前記中央維持機構１５の中央維持片１４の中央枢支ピン１３の上部に取付けられたピニオン２２、このピニオン２２と目地部４が狭くなると噛み合うように前記一方のスライド支持フレーム１８と前記他方のスライド支持フレーム２１の中央部の傾斜面１７、２０部位に溶接等によって固定された一対のラック２３、２３とからなる近接時の移動機構２４と、前記ピニオン２２の上部に位置するように前記中央枢支ピン１３に取付けられた支持台２５、この支持台２５の上部に中央部に隙間２６を介して回転可能に取付けられた一対のローラー２７、２７、目地部４が広くなると前記一対のローラー２７、２７と当接するように前記一方のスライド支持フレーム１８と他方のスライド支持フレーム２１に複数本の皿ビス７等によって取付けられたアングル状の一対の留金２８、２８とからなる離間時の移動機構２９と、前記一方のスライド支持フレーム１８の上部を覆う一方の目地プレート３０と、前記他方のスライド支持フレーム２１の上部を覆う他方の目地プレート３１と、この他方の目地プレート３１、前記一方の目地プレート３０のいずれか一方の先端部に設けられた他方の目地プレートと所定量スライド可能に重なり合うカバープレート３２とで構成されている。
【０００９】
前記中央維持機構１５は対向する先端部側にラック３３、３３が形成され、後端部に枢支ピン１１、１２が挿入される枢支ピン挿入孔３４、３４が形成された一対の作動杆３５、３５と、この一対の作動杆３５、３５の中央部が、ラック３３、３３と噛み合うピニオン３６と、このピニオン３６の中央枢支ピン１３を支持するとともに、前記ラック３３、３３との噛み合いが外れる事なく、かつ前記一対の作動杆３５、３５がほぼ平行状態を保つように該一対の作動杆３５、３５をスライド可能に支持する中央維持片１４とで構成されている。
なお、中央維持片１４のほぼ中央部に中央枢支ピン１３を支持するとともに、両端部寄りの部位にラック３３、３３と噛み合うピニオン３６、３６を配置して一対の作動杆３５、３５が確実に平行状態を保つように構成しても良い。
【００１０】
前記取付け金具１６、１６は図７および図８に示すように、複数本のビス３７等によって床躯体３、５に固定されるアングル材製の取付け金具本体３８と、この取付け金具本体３８の水平部材３８ａの上面に所定間隔で取付けられた、前記スライド支持フレーム１８、２１が目地部方向に所定量以上スライド移動しないように、該スライド支持フレーム１８、２１に複数本の皿ビス７等によって取付けられた係止レール３９、３９に係止されるとともに、離間時の前後方向の移動をスムーズに行なう複数個の上部ローラー４０、４０と、前記取付け金具本体３８の垂直部材３８ｂに所定間隔で取付けられた前記スライド支持フレーム１８、２１の後部壁１８ａ、２１ａと当接し、近接時の前後方向の移動をスムーズに行なう複数個の下部ローラー４１、４１とで構成されている。
【００１１】
前記一方のスライド支持フレーム１８や他方のスライド支持フレーム２１は図９に示すように、チャンネル材で直角台形状の輪郭形状に形成された外側フレーム４２と、この外側フレーム４２間に所定間隔で配置された複数本の補強バー４３とで構成されている。
【００１２】
前記一方の目地プレート３０や他方の目地プレート３１は図１０に示すように前記一方のスライド支持フレーム１８や他方のスライド支持フレーム２１の上部を覆うように、複数本のビス７等によって固定された浅皿状の目地プレート本体４４と、この目地プレート本体４４内にモルタルやコンクリート４５を介して設置されたタイルや石材等の床材４６とで構成されている。
【００１３】
上記構成の床用目地装置１は地震等によって目地部４が広くなるように揺れ動いた場合、図１４および図１５に示すように、一方のスライド支持フレーム１８と他方のスライド支持フレーム２１に固定されている係止レール３９、３９は取付け金具１６、１６の上部ローラー４０、４０と当接した状態となるとともに、常時中央部に位置する中央維持機構１５の中央枢支ピン１３に取付けられた支持台２５の一対のローラー２７、２７に一方のスライド支持フレーム１８と他方のスライド支持フレーム２１に取付けられた留金２８、２８と当接された状態となり、一方のスライド支持フレーム１８と他方のスライド支持フレーム２１の幅寸法が大きくなる方向に、一方、他方の一対の面台９、９、１０、１０上をスライド移動して、その揺れ動きを吸収する。
【００１４】
地震等によって目地部４が狭くなるように揺れ動いた場合、図１６および図１７に示すように、一方のスライド支持フレーム１８と他方のスライド支持フレーム２１の後端部が取付け金具１６、１６の下部ローラー４１、４１と当接した状態となるとともに、常時中央部に位置する中央維持機構１５の中央枢支ピン１３に取付けられているピニオン２２が一方のスライド支持フレーム１８と他方のスライド支持フレーム２１の先端部に固定されたラック２３、２３と噛み合った状態となり、一方のスライド支持フレーム１８と他方のスライド支持フレーム２１の幅寸法が小さくなる方向に、一方、他方の一対の面台９、９、１０、１０上をスライド移動して、その揺れ動きを吸収する。
【００１５】
地震等によって免震ビル等の建物２が回動するように揺れ動いた場合、図１８および図１９に示すように、取付け金具１６、１６によって一方のスライド支持フレーム１８が前後方向に回動されるが、一方の目地プレート３０と他方の目地プレート３１との間の隙間１９は前後方向に、その幅寸法が異なるが、他方の目地プレート３１と重なり合うカバープレート３２が、該他方の目地プレート３１から外れることなく、隙間１９を確実にカバープレート３２によって覆うことができる。
【００１６】
【発明の異なる実施の形態】
次に、図２０ないし図２５に示す本発明の異なる実施の形態につき説明する。なお、これらの本発明の異なる実施の形態の説明に当って、前記本発明の第１の実施の形態と同一構成部分には同一符号を付して重複する説明を省略する。
【００１７】
図２０ないし図２２に示す本発明の第２の実施の形態において、前記本発明の第１の実施の形態と主に異なる点は、一方のスライド支持フレーム１８の上部を覆う板状の一方の目地プレート３０Ａと、他方のスライド支持フレーム２１の上部を覆う板状の他方の目地プレート３１Ａとを用いた点で、このように形成した一方の目地プレート３０Ａと他方の目地プレート３１Ａとを用いて構成した床用目地装置１Ａにしても、前記本発明の第１の実施の形態と同様な作用効果が得られる。
【００１８】
図２３ないし図２５に示す本発明の第３の実施の形態において、前記本発明の第１の実施の形態と主に異なる点は、複数個の四角枠が形成されるパンタグラフ形状の中央維持機構１５Ａを用いた点で、このような中央維持機構１５Ａを用いて構成した床用目地装置１Ｂにしても、前記本発明の第１の実施の形態と同様な作用効果が得られる。
【００１９】
【発明の効果】
以上の説明から明らかなように、本発明にあっては次に列挙する効果が得られる。
【００２０】
（１）目地部が広くなったり、狭くなるような揺れ動きを前後方向にスライド移動して、隙間が生じることなく目地部を覆うことができるとともに、一方の床躯体が回動方向に揺れ動いても、その揺れ動きを吸収することができるように床用目地装置を構成しているので、目地部が広くなったり、狭くなるように地震等によって揺れ動いた場合、一方のスライド支持フレームと他方のスライド支持フレームが前後方向にスライド移動して、その揺れ動きを吸収することができるとともに、一方の床躯体が回動するように揺れ動いても、一方のスライド支持フレームと他方のスライド支持フレーム間の隙間が変化して、その揺れ動きの吸収および該隙間が開口しないようにカバープレートによって覆うことができる。
したがって、異なる前後左右および水平方向の回動の揺れ動きも吸収でき、損傷を効率よく阻止することができる。
【００２１】
（２）前記（１）によって、中央維持機構の中央維持片の中央枢支ピンに取付けられたピニオンと噛み合う一対のラックおよび中央枢支ピンに取付けられた支持台の一対のローラー、この一対のローラーと係止する一対の留金によって一方のスライド支持フレーム、他方のスライド支持フレームを前後方向にスライド移動させるため、スムーズに一方のスライド支持フレームと他方のスライド支持フレームを目地部が広くなったり、狭くなったりする動きによって前後方向に自動的にスライド移動させることができる。
【００２２】
（３）前記（１）によって、一方の床躯体と他方の床躯体の上面と、一方の目地プレート、他方の目地プレートの上面をほぼ同一面に設定することができる。
したがって、安全に使用することができる。
【００２３】
（４）請求項２も前記（１）〜（３）と同様な効果が得られる。
【図面の簡単な説明】
【図１】本発明の第１の実施の形態の平面図。
【図２】図１の２−２線に沿う断面図。
【図３】図１の３−３線に沿う断面図。
【図４】本発明の第１の実施の形態の面台を取付けた状態の平面図。
【図５】本発明の第１の実施の形態の中央維持機構の取付け状態の平面図。
【図６】本発明の第１の実施の形態の中央維持機構の説明図。
【図７】本発明の第１の実施の形態の取付け金具の正面図。
【図８】本発明の第１の実施の形態の取付け金具の側面図。
【図９】本発明の第１の実施の形態のスライド支持フレームの説明図。
【図１０】本発明の第１の実施の形態の目地プレートの説明図。
【図１１】図３のＡ部拡大図。
【図１２】図３のＢ部拡大図。
【図１３】図３のＣ部拡大図。
【図１４】本発明の第１の実施の形態の目地部が広くなった動作説明の平面図。
【図１５】図１４の１５−１５線に沿う断面図。
【図１６】本発明の第１の実施の形態の目地部が狭くなった動作説明の平面図。
【図１７】図１６の１７−１７線に沿う断面図。
【図１８】本発明の第１の実施の形態の回動する動作説明の平面図。
【図１９】図１８の１９−１９線に沿う断面図。
【図２０】本発明の第２の実施の形態の平面図。
【図２１】図２０の２１−２１線に沿う拡大断面図。
【図２２】本発明の第２の実施の形態の目地プレートの説明図。
【図２３】本発明の第３の実施の形態の平面図。
【図２４】図２３の２４−２４線に沿う拡大断面図。
【図２５】本発明の第３の実施の形態の中央維持機構の取付け状態の平面図。
【符号の説明】
１、１Ａ、１Ｂ：床用目地装置、
２：建物、　　　　　　　３：床躯体、
４：目地部、　　　　　　５：床躯体、
６：凹部、　　　　　　　７：皿ビス、
８：スライドプレート、　９：一方の面台、
１０：他方の面台、　　　１１：枢支ピン、
１２：枢支ピン、　　　　１３：中央枢支ピン、
１４：中央維持片、
１５、１５Ａ：中央維持機構、
１６：取付け金具、　　　１７：傾斜面、
１８：一方のスライド支持フレーム、
１９：遊び空間、　　　　２０：傾斜面、
２１：他方のスライド支持フレーム、
２２：ピニオン、　　　　２３：ラック、
２４：近接時の移動機構、２５：支持台、
２６：隙間、　　　　　　２７：ローラー、
２８：留金、　　　　　　２９：離間時の移動機構、
３０、３０Ａ：一方の目地プレート、
３１、３１Ａ：他方の目地プレート、
３２：カバープレート、　３３：ラック、
３４：枢支ピン挿入孔、　３５：作動杆、
３６：ピニオン、　　　　３７：ビス、
３８：取付け金具本体、　３９：係止レール、
４０：上部ローラー、　　４１：下部ローラー、
４２：外側フレーム、　　４３：補強バー、
４４：目地プレート本体、
４５：モルタルやコンクリート、
４６：床材。
【図１】
2004027767.tif 000003
【図２】
2004027767.tif 000004
【図３】
2004027767.tif 000005
【図４】
2004027767.tif 000006
【図５】
2004027767.tif 000007
【図６】
2004027767.tif 000008
【図７】
2004027767.tif 000009
【図８】
2004027767.tif 000010
【図９】
2004027767.tif 000011
【図１０】
2004027767.tif 000012
【図１１】
2004027767.tif 000013
【図１２】
2004027767.tif 000014
【図１３】
2004027767.tif 000015
【図１４】
2004027767.tif 000016
【図１５】
2004027767.tif 000017
【図１６】
2004027767.tif 000018
【図１７】
2004027767.tif 000019
【図１８】
2004027767.tif 000020
【図１９】
2004027767.tif 000021
【図２０】
2004027767.tif 000022
【図２１】
2004027767.tif 000023
【図２２】
2004027767.tif 000024
【図２３】
2004027767.tif 000025
【図２４】
2004027767.tif 000026
【図２５】
2004027767.tif 000027